(57)【特許請求の範囲】
【請求項１】
第１ＮＦＣタグと通信する第１移動端末機、第２ＮＦＣタグと通信する第２移動端末機、及び前記第１ＮＦＣタグと前記第２ＮＦＣタグとを管理する運用サーバを用いたコミュニケーションサービス提供方法において、
前記運用サーバが前記第１ＮＦＣタグの第１タグＩＤを前記第１移動端末機を通じて受信する段階と、
前記運用サーバが、前記第２ＮＦＣタグの第２タグＩＤを前記第２移動端末機を通じて受信し、前記第１タグＩＤと前記第２タグＩＤとを用いて、前記第１移動端末機と前記第２移動端末機が同じ空間に存在するか否かを確認する段階と、
前記第１移動端末機と前記第２移動端末機が前記同じ空間に存在する時のみに、前記運用サーバが、前記運用サーバを通じて前記第１移動端末機と前記第２移動端末機とがリアルタイムでメッセージを通信可能なようにコミュニケーション空間を形成する段階と、
を含み、
前記運用サーバにより形成される前記コミュニケーション空間は、前記第１移動端末機および前記第２移動端末機が存在する前記同じ空間に対応するコミュニケーションサービス提供方法。
【請求項２】
前記メッセージが、前記第１移動端末機と前記第２移動端末機のそれぞれのディスプレイに表示される対話型メッセージ窓を通じて、前記運用サーバによってリアルタイムで表示される段階をさらに含む請求項１に記載のコミュニケーションサービス提供方法。
【請求項３】
前記第１移動端末機と前記第２移動端末機は、別途の認証手続きを経ずに、前記コミュニケーション空間を通じてメッセージを互いに送受信し、
前記第１移動端末機と前記第２移動端末機は、前記第１移動端末機のユーザ情報および前記第２移動端末機のユーザ情報を用いることなく、前記コミュニケーション空間を通じてメッセージを互いに送受信する請求項１に記載のコミュニケーションサービス提供方法。
【請求項４】
前記第１ＮＦＣタグと前記第２ＮＦＣタグは、前記同じ空間に設けられた同じＮＦＣタグである請求項１に記載のコミュニケーションサービス提供方法。
【請求項５】
第１ビーコンと通信する第１移動端末機、第２ビーコンと通信する第２移動端末機、及び前記第１ビーコンと前記第２ビーコンとを管理する運用サーバを用いたコミュニケーションサービス提供方法において、
前記運用サーバが前記第１ビーコンの第１ビーコンＩＤを前記第１移動端末機を通じて受信する段階と、
前記運用サーバが、前記第２ビーコンの第２ビーコンＩＤを前記第２移動端末機を通じて受信し、前記第１ビーコンＩＤと前記第２ビーコンＩＤとを用いて、前記第１移動端末機と前記第２移動端末機が同じ空間に存在するか否かを確認する段階と、
前記第１移動端末機と前記第２移動端末機が前記同じ空間に存在する時のみに、前記運用サーバが、前記運用サーバを通じて前記第１移動端末機と前記第２移動端末機とがリアルタイムでメッセージを通信可能なようにコミュニケーション空間を形成する段階と、
を含み、
前記運用サーバにより形成される前記コミュニケーション空間は、前記第１移動端末機および前記第２移動端末機が存在する前記同じ空間に対応するコミュニケーションサービス提供方法。
【請求項６】
前記メッセージが、前記第１移動端末機と前記第２移動端末機のそれぞれのディスプレイに表示される対話型メッセージ窓を通じて、前記運用サーバによってリアルタイムで表示される段階をさらに含む請求項５に記載のコミュニケーションサービス提供方法。
【請求項７】
前記第１移動端末機に設けられたアプリケーションが、前記第１ビーコンＩＤを前記運用サーバに伝送するか否かを前記第１移動端末機の第１ユーザに問い、前記第１ユーザの承諾がある時、前記第１ビーコンＩＤを前記運用サーバに伝送する段階と、
前記第２移動端末機に設けられたアプリケーションが、前記第２ビーコンＩＤを前記運用サーバに伝送するか否かを前記第２移動端末機の第２ユーザに問い、前記第２ユーザの承諾がある時、前記第２ビーコンＩＤを前記運用サーバに伝送する段階と、
をさらに含む請求項５に記載のコミュニケーションサービス提供方法。
【請求項８】
前記第１移動端末機が、前記第１移動端末機に設けられたアプリケーションを実行し、前記アプリケーションを用いて前記運用サーバにコミュニケーション空間の生成を要請する段階と、
前記第１移動端末機が、前記運用サーバから前記コミュニケーション空間のＵＲＬを受信し、前記ＵＲＬを含むビーコンメッセージを生成する段階と、
前記第２移動端末機が前記第１移動端末機から前記ビーコンメッセージを受信する時のみに、前記運用サーバが、前記運用サーバを通じて前記第１移動端末機と前記第２移動端末機とがリアルタイムでメッセージを通信可能なように前記コミュニケーション空間を形成する段階と、
を含む請求項１に記載のコミュニケーションサービス提供方法。
【請求項９】
前記メッセージが、前記第１移動端末機と前記第２移動端末機のそれぞれのディスプレイに表示される対話型メッセージ窓を通じて、前記運用サーバによってリアルタイムで表示される段階をさらに含む請求項８に記載のコミュニケーションサービス提供方法。
【請求項１０】
前記ビーコンメッセージは、デジタルコンテンツをさらに含む請求項８に記載のコミュニケーションサービス提供方法。
【請求項１１】
前記第１移動端末機が、前記第１移動端末機に設けられたアプリケーションを実行し、前記アプリケーションを用いて前記運用サーバにコミュニケーション空間の生成を要請する段階と、
前記第１移動端末機が、前記運用サーバから前記コミュニケーション空間のＵＲＬを受信し、前記第１移動端末機のＩＤを含むビーコンメッセージを生成する段階と、
前記第２移動端末機が、前記第１移動端末機から前記ビーコンメッセージを受信して、前記ＩＤをＩＤサーチエンジンに伝送し、前記ＩＤサーチエンジンから前記ＩＤに該当する前記コミュニケーション空間の前記ＵＲＬを受信する段階と、
前記運用サーバが、前記運用サーバを通じて前記第１移動端末機と前記第２移動端末機とがリアルタイムでメッセージを通信可能なように前記コミュニケーション空間を形成する段階と、
を含む請求項１に記載のコミュニケーションサービス提供方法。
【請求項１２】
前記メッセージが、前記第１移動端末機と前記第２移動端末機のそれぞれのディスプレイに表示される対話型メッセージ窓を通じて、前記運用サーバによってリアルタイムで表示される段階をさらに含む請求項１１に記載のコミュニケーションサービス提供方法。
【請求項１３】
前記第１移動端末機が、前記第１移動端末機に設けられたアプリケーションを実行し、前記アプリケーションを用いて前記第１移動端末機内にコミュニケーション空間を生成する段階と、
前記第１移動端末機が前記第１移動端末機のＩＤを含むビーコンメッセージを生成する段階と、
前記第２移動端末機が、前記第１移動端末機から前記ビーコンメッセージを受信し、前記ＩＤに該当するコミュニケーション空間を探索する段階と、
前記第１移動端末機が、前記第１移動端末機と前記第２移動端末機とがリアルタイムでメッセージを通信可能なように前記コミュニケーション空間を形成する段階と、
を含む請求項１に記載のコミュニケーションサービス提供方法。
【請求項１４】
前記メッセージは、前記第１移動端末機と前記第２移動端末機のそれぞれのディスプレイに表示される対話型メッセージ窓を通じてリアルタイムで表示される段階をさらに含む請求項１３に記載のコミュニケーションサービス提供方法。
【請求項１５】
請求項１〜請求項１４のうち何れか一項に記載の前記コミュニケーションサービス提供方法を実行するコンピュータプログラムを記録したコンピュータで読み取り可能な記録媒体。
【発明の詳細な説明】
【技術分野】
【０００１】
本発明は、近距離移動端末機の間でコミュニケーションサービス提供方法に係り、特に、同じ空間に存在する移動端末機の間のみでコミュニケーション空間を提供することができるコミュニケーションサービス提供方法に関する。
【背景技術】
【０００２】
最近、スマートフォン、またはタブレット（tablet）ＰＣのような多様なスマート機器が広く普及されるにつれて、時間と空間とに関係なく、前記スマート機器に設けられたモバイルアプリケーションを用いるユーザが急増している。前記アプリケーションのうちの文字メッセージサービスアプリケーションは、移動通信網を通じて相手方と文字メッセージを送受信することができる。
【０００３】
ＮＦＣ（Near Field Communication）は、電子タグ（または、無線タグ）技術の１つであって、１３．５６ＭＨｚの周波数帯域を使用する非接触式通信技術を意味する。スマートフォンの発展につれて、ＮＦＣ機能を有するスマートフォンが広く使われている。特に、ＵＲＬを含むＮＦＣタグにＮＦＣ機能を有するスマートフォンを接近させれば、前記スマートフォンは、前記スマートフォンに設けられたアプリケーションを用いて、前記ＵＲＬに相応するウェブサイトにアクセスすることができる。
【０００４】
ビーコン（beacon）は、スマートフォンを携帯している顧客が売場に入る時、前記スマートフォンに設けられたモバイルアプリケーションプログラムにアクセスすることができるＢＬＥ（Bluetooth（登録商標） Low Energy）装置である。例えば、ビーコンは、ＵＳＢメモリ形態の小さなブルートゥース（登録商標）送受信器として具現可能である。売場内のＰＣのＵＳＢポートや電源コンセントにビーコンを挿入すれば、前記ビーコンの設置が終了する。
【０００５】
ＢＬＥ基盤のビーコンは、ＮＦＣと比較して、伝送距離が１０ｍから５０ｍまで広いために、位置基盤のマーケティングプラットフォームと決済サービスとを統合することができる。しかし、複数のユーザが、１つまたはそれ以上のＮＦＣタグ（または、ビーコン）が設けられた同じ空間に存在しても、前記同じ空間に対するコミュニティー空間が運用サーバによって自動で生成されていないだけではなく、前記複数のユーザのそれぞれが、自身の移動端末機を用いて前記運用サーバによって生成されたコミュニティー空間を通じてメッセージを送受信するサービスは提供されていない。
【発明の概要】
【発明が解決しようとする課題】
【０００６】
本発明が解決しようとする技術的な課題は、同じ空間に設けられた少なくとも１つのＮＦＣタグを用いて、前記同じ空間に存在する移動端末機の間にコミュニケーション空間を自動で生成し、別途の加入手続きまたは別途の認証手続きを経ずとも、前記コミュニケーション空間を通じて、前記移動端末機のユーザがメッセージを送受信するコミュニケーションサービス提供方法を提供するところにある。
【０００７】
本発明が解決しようとする他の技術的な課題は、同じ空間に設けられた少なくとも１つのビーコンを用いて、前記同じ空間に存在する移動端末機の間にコミュニケーション空間を自動で生成し、別途の加入手続きまたは別途の認証手続きを経ずとも、前記コミュニケーション空間を通じて、前記移動端末機のユーザがメッセージを送受信するコミュニケーションサービス提供方法を提供するところにある。
【０００８】
本発明が解決しようとするさらに他の技術的な課題は、同じ空間に存在するビーコンの機能を行う移動端末機がビーコンメッセージを送受信することによって、コミュニケーション空間を自動で生成し、別途の加入手続きまたは別途の認証手続きを経ずとも、前記コミュニケーション空間を通じて、前記移動端末機のユーザがメッセージを送受信するコミュニケーションサービス提供方法を提供するところにある。
【課題を解決するための手段】
【０００９】
本発明の一実施形態による、第１ＮＦＣタグと通信する第１移動端末機、第２ＮＦＣタグと通信する第２移動端末機、及び前記第１ＮＦＣタグと前記第２ＮＦＣタグとを管理する運用サーバを用いたコミュニケーションサービス提供方法は、前記運用サーバが前記第１ＮＦＣタグの第１タグＩＤを前記第１移動端末機を通じて受信する段階と、前記運用サーバが、前記第２ＮＦＣタグの第２タグＩＤを前記第２移動端末機を通じて受信し、前記第１タグＩＤと前記第２タグＩＤとを用いて、前記第１移動端末機と前記第２移動端末機が同じ空間に存在するか否かを確認する段階と、前記第１移動端末機と前記第２移動端末機が前記同じ空間に存在する時のみに、前記運用サーバが、前記運用サーバを通じて前記第１移動端末機と前記第２移動端末機とがリアルタイムでメッセージを通信可能なようにコミュニケーション空間を形成する段階と、を含む。前記運用サーバにより形成される前記コミュニケーション空間は、前記第１移動端末機および前記第２移動端末機が存在する前記同じ空間に対応する。
【００１０】
前記方法は、前記メッセージが、前記第１移動端末機と前記第２移動端末機のそれぞれのディスプレイに表示される対話型メッセージ窓を通じて、前記運用サーバによってリアルタイムで表示される段階をさらに含む。
【００１１】
前記第１移動端末機と前記第２移動端末機は、別途の認証手続きを経ずに、前記コミュニケーション空間を通じてメッセージを互いに送受信する。また、前記第１移動端末機と前記第２移動端末機は、前記第１移動端末機のユーザ情報および前記第２移動端末機のユーザ情報を用いることなく、前記コミュニケーション空間を通じてメッセージを互いに送受信する。前記第１ＮＦＣタグと前記第２ＮＦＣタグは、前記同じ空間に設けられた同じＮＦＣタグであり得る。
【００１２】
本発明の他の実施形態による第１ビーコンと通信する第１移動端末機、第２ビーコンと通信する第２移動端末機、及び前記第１ビーコンと前記第２ビーコンとを管理する運用サーバを用いたコミュニケーションサービス提供方法は、前記運用サーバが前記第１ビーコンの第１ビーコンＩＤを前記第１移動端末機を通じて受信する段階と、前記運用サーバが、前記第２ビーコンのビーコンＩＤを前記第２移動端末機を通じて受信し、前記第１ビーコンＩＤと前記第２ビーコンＩＤとを用いて、前記第１移動端末機と前記第２移動端末機が同じ空間に存在するか否かを確認する段階と、前記第１移動端末機と前記第２移動端末機が前記同じ空間に存在する時のみに、前記運用サーバが、前記運用サーバを通じて前記第１移動端末機と前記第２移動端末機とがリアルタイムでメッセージを通信可能なようにコミュニケーション空間を形成する段階と、を含む。前記運用サーバにより形成される前記コミュニケーション空間は、前記第１移動端末機および前記第２移動端末機が存在する前記同じ空間に対応する。
【００１３】
前記方法は、前記メッセージが、前記第１移動端末機と前記第２移動端末機のそれぞれのディスプレイに表示される対話型メッセージ窓を通じて、前記運用サーバによってリアルタイムで表示される段階をさらに含む。
【００１４】
本発明のさらに他の実施形態によるコミュニケーションサービス提供方法は、ビーコンの機能を行う第１移動端末機が、前記第１移動端末機に設けられたアプリケーションを実行し、前記アプリケーションを用いて運用サーバにコミュニケーション空間の生成を要請する段階と、前記第１移動端末機が、前記運用サーバから前記コミュニケーション空間のＵＲＬを受信し、前記ＵＲＬを含むビーコンメッセージを生成する段階と、第２移動端末機が前記第１移動端末機から前記ビーコンメッセージを受信する時のみに、前記運用サーバが、前記運用サーバを通じて前記第１移動端末機と前記第２移動端末機とがリアルタイムでメッセージを通信可能なように前記コミュニケーション空間を形成する段階と、を含む。
【００１５】
前記方法は、前記メッセージが、前記第１移動端末機と前記第２移動端末機のそれぞれのディスプレイに表示される対話型メッセージ窓を通じて、前記運用サーバによってリアルタイムで表示される段階をさらに含む。前記ビーコンメッセージは、デジタルコンテンツをさらに含みうる。
【００１６】
本発明のさらに他の実施形態によるコミュニケーションサービス提供方法は、ビーコンの機能を行う第１移動端末機が、前記第１移動端末機に設けられたアプリケーションを実行し、前記アプリケーションを用いて運用サーバにコミュニケーション空間の生成を要請する段階と、前記第１移動端末機が、前記運用サーバから前記コミュニケーション空間のＵＲＬを受信し、ビーコンＩＤを含むビーコンメッセージを生成する段階と、第２移動端末機が、前記第１移動端末機から前記ビーコンメッセージを受信して、前記ビーコンＩＤをＩＤサーチエンジンに伝送し、前記ＩＤサーチエンジンから前記ビーコンＩＤに該当する前記コミュニケーション空間の前記ＵＲＬを受信する段階と、前記運用サーバが、前記運用サーバを通じて前記第１移動端末機と前記第２移動端末機とがリアルタイムでメッセージを通信可能なように前記コミュニケーション空間を形成する段階と、を含む。
【００１７】
前記方法は、前記メッセージが、前記第１移動端末機と前記第２移動端末機のそれぞれのディスプレイに表示される対話型メッセージ窓を通じて、前記運用サーバによってリアルタイムで表示される段階をさらに含む。
【００１８】
本発明のさらに他の実施形態によるコミュニケーションサービス提供方法は、ビーコンの機能を行う第１移動端末機が、前記第１移動端末機に設けられたアプリケーションを実行し、前記アプリケーションを用いてコミュニケーション空間を生成する段階と、前記第１移動端末機がビーコンＩＤを含むビーコンメッセージを生成する段階と、第２移動端末機が、前記第１移動端末機から前記ビーコンメッセージを受信し、前記ビーコンＩＤに該当するコミュニケーション空間を探索する段階と、前記第１移動端末機が、前記第１移動端末機と前記第２移動端末機とがリアルタイムでメッセージを通信可能なように前記コミュニケーション空間を形成する段階と、を含む。
【００１９】
前記方法は、前記メッセージが、前記第１移動端末機と前記第２移動端末機のそれぞれのディスプレイに表示される対話型メッセージ窓を通じてリアルタイムで表示される段階をさらに含む。前記ビーコンＩＤは、前記第１移動端末機のＩＤと同一であり得る。前記コミュニケーションサービス提供方法を実行するコンピュータプログラムは、コンピュータで読み取り可能な記録媒体に保存することができる。
【発明の効果】
【００２０】
本発明の実施形態によるコミュニケーションサービス提供方法は、ＮＦＣタグまたはビーコンが存在する空間と同じ空間に存在する移動端末機の間に別途の加入手続きと別途の承認手続きなしに、コミュニケーション空間を形成することができるので、前記移動端末機のユーザは、前記コミュニケーション空間を用いてメッセージを送受信することができる。
【００２１】
本発明の他の実施形態によるコミュニケーションサービス提供方法は、同じ空間に存在するビーコンの機能を行う移動端末機の間に別途の加入手続きと別途の承認手続きなしに、コミュニケーション空間を形成することができるので、前記移動端末機のユーザは、前記コミュニケーション空間を用いてメッセージを送受信することができる。
【図面の簡単な説明】
【００２２】
【図１】本発明の実施形態によるシステムのデータフローを示す。
【図２】図１に示された運用サーバが、複数の移動端末機が同じ空間に存在するか否かを確認する方法を説明するフローチャートである。
【図３】本発明の他の実施形態によるシステムのデータフローを示す。
【図４】本発明の実施形態による運用サーバを経由して複数の移動端末機の間で行われるグループチャットの方法を説明するフローチャートである。
【図５】本発明の実施形態によるシステムの動作方法を説明する対話型メッセージ窓の入力されるデータの一実施形態を示す。
【図６】本発明の実施形態によるシステムの動作方法を説明する対話型メッセージ窓の入力されるデータの他の実施形態を示す。
【図７】本発明のさらに他の実施形態によるシステムのデータフローを示す。
【図８】本発明のさらに他の実施形態によるシステムのデータフローを示す。
【図９】本発明のさらに他の実施形態によるシステムのデータフローを示す。
【発明を実施するための形態】
【００２３】
本明細書において、移動端末機に設けられたアプリケーションプログラムを用いて信号（または、データ）を送受信するということは、前記アプリケーションプログラムの制御によって、前記移動端末機に設けられた通信装置（例えば、送信器または受信器）を用いて通信対象（例えば、ＮＦＣタグ、ビーコン、または運用サーバ）と信号（または、データ）を送受信することを意味する。
【００２４】
図１は、本発明の実施形態によるシステムのデータフローを示す。図１を参照すれば、システム１０Ａは、第１ＮＦＣタグ１５０、第２ＮＦＣタグ４５０、第１移動端末機１００、第２移動端末機４００、及び運用サーバ２００を含む。
【００２５】
第１移動端末機１００と第２移動端末機４００のそれぞれは、第１ＮＦＣタグ１５０と第２ＮＦＣタグ４５０のそれぞれに保存された情報を認識（または、リード）することができるＮＦＣリーダーを含む移動端末機を意味する。ここで、移動端末機は、ノート型パソコン、携帯電話、スマートフォン、タブレットＰＣ、モノのインターネット（Internet of Things；ＩｏＴ）装置、全てのインターネット（Internet of Everything；ＩｏＥ）装置、またはウェアラブルコンピュータを含む。
【００２６】
実施形態によって、前記ＮＦＣリーダーは、第１移動端末機１００と第２移動端末機４００の内部に具現可能であるが、他の実施形態によって、前記ＮＦＣリーダーは、別個の装置として具現されて、第１移動端末機１００と第２移動端末機４００のそれぞれの外部に付着されて使われる。
【００２７】
第１移動端末機１００と第２移動端末機４００のそれぞれは、第１ＮＦＣタグ１５０と第２ＮＦＣタグ４５０のそれぞれとインターフェーシング、例えば、スキャン（scan）、または非接触タギング（contactless tagging）を通じて互いにデータを送受信することができる（ステップＳ１１０またはステップＳ１２０）。
【００２８】
運用サーバ２００によって提供される位置基盤コミュニケーションサービス（または、位置基盤コミュニケーション空間）を用いるために、第１移動端末機１００のユーザが第１移動端末機１００を第１ＮＦＣタグ１５０に近くに接近させれば、第１移動端末機１００に具現されたＮＦＣリーダーは、第１ＮＦＣタグ１５０に保存された情報（例えば、位置基盤コミュニケーションサービスを提供する運用サーバ２００のＵＲＬ（Uniform Resource Locator）と第１タグ１５０の第１タグＩＤ（ＴＩＤ＿１））を読み取る（ステップＳ１１５）。前記情報を読み取る過程は、スキャンまたはタギングと言う。
【００２９】
運用サーバ２００によって提供される位置基盤コミュニケーションサービス（または、位置基盤コミュニケーション空間）を用いるために、第２移動端末機４００のユーザが第２移動端末機４００を第２ＮＦＣタグ４５０に近くに接近させれば、第２移動端末機４００に具現されたＮＦＣリーダーは、第２ＮＦＣタグ４５０に保存された情報（例えば、位置基盤コミュニケーションサービスを提供する運用サーバ２００のＵＲＬと第２タグ４５０の第２タグＩＤ（ＴＩＤ＿２））を読み取る（ステップＳ１２５）。前記情報を読み取る過程は、スキャンまたはタギングと言う。
【００３０】
前記ＵＲＬは、位置基盤コミュニケーションサービスを提供する管理者、例えば、運用サーバ２００にアクセスするためのＵＲＬであるか、運用サーバ２００によって管理されるウェブサイトにアクセスするためのＵＲＬであり得る。
【００３１】
例えば、前記ウェブサイトは、第１ＮＦＣタグ１５０と第２ＮＦＣタグ４５０とが設けられた空間別に運用サーバ２００を通じて管理される。例えば、第１ＮＦＣタグ１５０と第２ＮＦＣタグ４５０が、第１空間に位置する第１売場に設けられた場合、前記ウェブサイトは、前記第１売場に関連したウェブサイトであり得る。また、第１ＮＦＣタグ１５０と第２ＮＦＣタグ４５０が、前記第１空間と他の第２空間に位置する第２売場に設けられた場合、前記ウェブサイトは、前記第２売場に関連したウェブサイトであり得る。
【００３２】
第１タグＩＤ（ＴＩＤ＿１）と第２タグＩＤ（ＴＩＤ＿２）のそれぞれは、運用サーバ２００によって第１ＮＦＣタグ１５０と第２ＮＦＣタグ４５０のそれぞれに固有に発給されて管理される。
【００３３】
第１移動端末機１００は、第１ＮＦＣタグ１５０から伝送された運用サーバ２００のＵＲＬと第１タグＩＤ（ＴＩＤ＿１）とを受信することができる（ステップＳ１１５）。第１移動端末機１００は、第１ＮＦＣタグ１５０から伝送された運用サーバ２００のＵＲＬを用いて運用サーバ２００にアクセスし、受信された第１タグＩＤ（ＴＩＤ＿１）を運用サーバ２００に伝送する（ステップＳ１１７）。
【００３４】
第２移動端末機４００は、第２ＮＦＣタグ４５０から伝送された運用サーバ２００のＵＲＬと第２タグＩＤ（ＴＩＤ＿２）とを受信することができる（ステップＳ１２５）。第２移動端末機４００は、第２ＮＦＣタグ４５０から伝送された運用サーバ２００のＵＲＬを用いて運用サーバ２００にアクセスし、受信された第２タグＩＤ（ＴＩＤ＿２）を運用サーバ２００に伝送する（ステップＳ１２７）。
【００３５】
運用サーバ２００は、第１移動端末機１００から伝送された第１タグＩＤ（ＴＩＤ＿１）と第２移動端末機４００から伝送された第２タグＩＤ（ＴＩＤ＿２）とを用いて、第１移動端末機１００と第２移動端末機４００が同じ空間に存在するか否かを確認する（ステップＳ１３０）。
【００３６】
運用サーバ２００は、タグＩＤ別に前記タグＩＤに該当するＮＦＣタグがどちらに存在するか否かについての情報をあらかじめデータベースに保存しているので、運用サーバ２００は、第１移動端末機１００と第２移動端末機４００が同じ空間に存在するか否かを確認することができる（ステップＳ１３０）。ここで、同じ空間とは、第１ＮＦＣタグ１５０と第２ＮＦＣタグ４５０とが共に設けられた同じ空間または同じ建物を意味する。
【００３７】
図１では、説明の便宜上、第１ＮＦＣタグ１５０と第２ＮＦＣタグ４５０が、別個のＮＦＣタグとして示されているが、実施形態によって、第１ＮＦＣタグ１５０と第２ＮＦＣタグ４５０は、同じ空間に設けられた同じＮＦＣタグであり得る。
【００３８】
第１移動端末機１００と第２移動端末機４００が同じ空間に存在する時、運用サーバ２００は、運用サーバ２００を通じて、第１移動端末機１００と第２移動端末機４００とがリアルタイムでメッセージを送受信できるようにコミュニケーション空間を形成する。すなわち、運用サーバ２００は、空間別にコミュニケーション空間を形成することができるので、同じ空間に存在するユーザのそれぞれは、自身の移動端末機を用いて別途の認証手続き（例えば、ＩＤとパスワードとを入力する手続き）を経ずに、運用サーバ２００で提供するコミュニケーション空間を用いて、他のユーザとメッセージを送受信することができる。
【００３９】
運用サーバ２００は、移動電話網、無線インターネット、Ｗｉ−Ｆｉ、または近距離通信網を通じて、ユーザのそれぞれの移動端末機にコミュニケーション空間を提供することができる。また、運用サーバ２００に会員として加入されたかの有無に無関係に、同じ空間に存在するユーザのそれぞれは、自身の移動端末機を用いて運用サーバ２００で提供するコミュニケーション空間を用いて他のユーザとメッセージを送受信することができる。しかし、前記同じ空間を外れたユーザは、前記コミュニケーション空間を用いて他のユーザとメッセージを送受信することができない。
【００４０】
実施形態によって、ユーザのそれぞれは、自身の移動端末機を通じて運用サーバ２００で設定した時間内に対応するＮＦＣタグをスキャン（または、タッキング）して初めて、コミュニケーション空間を用いて他のユーザとメッセージを送受信することができる。
【００４１】
図２は、図１に示された運用サーバが、複数の移動端末機が同じ空間に存在するか否かを確認する方法を説明するフローチャートである。図１と図２とを参照すれば、運用サーバ２００は、データベース２３０に保存された複数のＮＦＣタグについてのタグ情報（ＴＩＦ）から第１タグＩＤ（ＴＩＤ＿１）に該当する第１位置情報（ＬＩ＿１）と第２タグＩＤ（ＴＩＤ＿２）に該当する第２位置情報（ＬＩ＿２）とを抽出する（ステップＳ１３０−１）。
【００４２】
例えば、タグ情報（ＴＩＦ）は、運用サーバ２００によって管理される各ＮＦＣタグにマッチングされる情報（例えば、コンテンツ情報、空間情報、及び／または前記空間の特定位置情報など）を前記各ＮＦＣタグ別にグループ化されたリストを含む。
【００４３】
運用サーバ２００は、第１位置情報（ＬＩ＿１）と第２位置情報（ＬＩ＿２）とを互いに比較し、該比較の結果によって、第１移動端末機１００、第２移動端末機４００、第１ＮＦＣタグ１５０、及び第２ＮＦＣタグ４５０が同じ空間に存在することを確認する（ステップＳ１３０−３）。例えば、各位置情報（ＬＩ＿１及びＬＩ＿２）は、特定空間（または、特定建物）であることを確認することができる空間位置情報を含む。また、各位置情報（ＬＩ＿１及びＬＩ＿２）は、前記特定空間での特定位置を確認することができる特定位置情報をさらに含む。例えば、特定空間がコーヒーショップである時、前記特定位置情報は、前記コーヒーショップ内のテーブルについての情報であり得る。
【００４４】
第１移動端末機１００と第２移動端末機４００が同じ空間に存在する時のみに、運用サーバ２００は、運用サーバ２００を通じて第１移動端末機１００と第２移動端末機４００とがリアルタイムでメッセージを送受信ことができるコミュニケーション空間を形成する（Ｓ１４０）。例えば、運用サーバ２００は、ＮＦＣタグ１５０、４５０が設けられた空間（例えば、売場）の管理者（または、事業者）がコミュニケーション空間として提供するウェブサイト（または、ウェブページ）を第１移動端末機１００と第２移動端末機４００のそれぞれに提供する。
【００４５】
したがって、同じ空間に存在する不特定多数、例えば、第１移動端末機１００のユーザと第２移動端末機４００のユーザは、相手方の電話番号、名前、アドレス、及び／または電子メールなどを登録（または、保存）せずとも、コミュニケーション空間を通じてメッセージを送受信することができる。
【００４６】
前記メッセージは、第１移動端末機１００と第２移動端末機４００のそれぞれに設けられたアプリケーションによって実行される対話型メッセージ窓を通じてリアルタイムで表示される。すなわち、対応する対話型メッセージ窓は、第１移動端末機１００と第２移動端末機４００のそれぞれのディスプレイを通じて表示される。前記対応する対話型メッセージ窓は、コミュニケーション空間に対応する。
【００４７】
運用サーバ２００は、第１タグＩＤ（ＴＩＤ＿１）と第２タグＩＤ（ＴＩＤ＿２）とが受信されれば、コミュニケーション空間を形成し、該形成の結果を各移動端末機１００、４００に伝送する。実施形態によって、第１移動端末機１００に表示される対話型メッセージ窓は、第１移動端末機１００に設けられたアプリケーションが第１タグＩＤ（ＴＩＤ＿１）を受信するか、運用サーバ２００から前記形成の結果を受信すれば、自動で活性化される。また、前記第２移動端末機４００に表示される前記対話型メッセージ窓は、第２移動端末機４００に設けられたアプリケーションが第２タグＩＤ（ＴＩＤ＿２）を受信するか、運用サーバ２００から前記形成の結果を受信すれば、自動で活性化される。
【００４８】
第１移動端末機１００で対話型メッセージ窓が活性化される時点と第２移動端末機４００で対話型メッセージ窓の活性化される時点は、多様に変更されうる。
前述したように、対応する対話型メッセージ窓は、対応するタグＩＤが受信されることにより、または運用サーバ２００から形成の結果（例えば、活性化プッシュ（push）メッセージ）によって自動で活性化される。
【００４９】
図３は、本発明の他の実施形態によるシステムのデータフローを示す。図３を参照すれば、システム１０Ｂは、第１移動端末機１００、運用サーバ２００、第２移動端末機４００、第１ビーコン５００−１、及び第２ビーコン５００−２を含む。
【００５０】
第１ビーコン５００−１と第２ビーコン５００−２のそれぞれは、ＢＬＥを活用したデータ通信のための装置を意味する。例えば、ビーコンは、ＮＦＣのように移動端末機（例えば、スマートフォン）をＮＦＣタグに近づけてタギングする必要なしに、前記ビーコンが設けられた場所を前記移動端末機が通るだけで、データを前記移動端末機に伝送する。
【００５１】
例えば、ビーコン５００−１及び５００−２のそれぞれは、近距離無線個人通信網（Wireless Personal Area Network；ＷＰＡＮ）、またはＩｒＤＡ（Infrared Data Association）を用いる通信のためのハードウェアまたはハードウェアモジュールを意味する。例えば、ＷＰＡＮは、ブルートゥース（登録商標）、ジグビー（Zigbee（登録商標））、またはＵＷＢ（Ultra Wide Band）などを含む。
【００５２】
図１に示されたシステム１０Ａを通じて提供されるコミュニケーションサービス提供方法は、ユーザの明確な意図、例えば、ＮＦＣタグをタッキングすることによって行われるが、図３に示されたシステム１０Ｂを通じて提供されるコミュニケーションサービス提供方法でユーザの明確な意図と無関係にビーコン５００−１または５００−２から出力された情報（例えば、ビーコンＩＤ（ＢＩＤ＿１またはＢＩＤ＿２））は、各移動端末機１００または４００によって受信されるので、各移動端末機１００または４００のユーザが前記コミュニケーションサービス提供方法の実行を承認する過程が必要である。
【００５３】
第１移動端末機１００は、第１ビーコン５００−１から第１ビーコンＩＤ（ＢＩＤ＿１）を受信し（ステップＳ２１０）、該受信された第１ビーコンＩＤ（ＢＩＤ＿１）を運用サーバ２００に伝送する（ステップＳ２２０）。この際、第１移動端末機１００に設けられたアプリケーションは、受信された第１ビーコンＩＤ（ＢＩＤ＿１）を運用サーバ２００に伝送するか否かを第１移動端末機１００のユーザに問い、前記ユーザの承諾がある時、受信された第１ビーコンＩＤ（ＢＩＤ＿１）を運用サーバ２００に伝送する（ステップＳ２２０）。
【００５４】
第２移動端末機４００は、第２ビーコン５００−２から第２ビーコンＩＤ（ＢＩＤ＿２）を受信し（ステップＳ２３０）、該受信された第２ビーコンＩＤ（ＢＩＤ＿２）を運用サーバ２００に伝送する（ステップＳ２４０）。この際、第２移動端末機４００に設けられたアプリケーションは、受信された第２ビーコンＩＤ（ＢＩＤ＿２）を運用サーバ２００に伝送するか否かを第２移動端末機４００のユーザに問い、前記ユーザの承諾がある時、受信された第２ビーコンＩＤ（ＢＩＤ＿２）を運用サーバ２００に伝送する（ステップＳ２４０）。
【００５５】
運用サーバ２００は、第１移動端末機１００から伝送された第１ビーコンＩＤ（ＢＩＤ＿１）と第２移動端末機４００から伝送された第２ビーコンＩＤ（ＢＩＤ＿２）とを用いて、第１移動端末機１００と第２移動端末機４００が同じ空間に存在するか否かを確認する（ステップＳ２５０）。
【００５６】
運用サーバ２００は、データベース１３０に保存された第１ビーコンＩＤ（ＢＩＤ＿１）の位置情報と第２ビーコンＩＤ（ＢＩＤ＿２）の位置情報とを用いて、第１ビーコンＩＤ（ＢＩＤ＿１）、第２ビーコンＩＤ（ＢＩＤ＿２）、第１移動端末機１００、及び第２移動端末機４００が同じ空間に存在するか否かを確認する。例えば、前記同じ空間は、第１ビーコン５００−１と第２ビーコン５００−２とが設けられた同じ空間または同じ建物を意味する。
【００５７】
第１移動端末機１００と第２移動端末機４００が同じ空間に存在するか否かが確認されれば、運用サーバ２００は、運用サーバ２００を通じて第１移動端末機１００と第２移動端末機４００とがリアルタイムでメッセージを通信可能なようにコミュニケーション空間を形成する（ステップＳ２６０）。
【００５８】
実施形態によって、第１移動端末機１００に表示される対話型メッセージ窓は、ビーコンＩＤ（ＢＩＤ＿１）を通じてユーザが運用サーバ２００にアクセスし、ユーザがチャットを希望する場合、運用サーバ２００でコミュニケーション空間（例えば、チャットルーム）を生成する時に生成される。実施形態によって、第１移動端末機１００に表示される対話型メッセージ窓は、チャットルームに招待を受けた人が招待メッセージを受信した後、招待に承認した場合に生成される。
【００５９】
実施形態によって、第２移動端末機４００に表示される対話型メッセージ窓は、ビーコンＩＤ（ＢＩＤ＿２）を通じてユーザが運用サーバ２００にアクセスし、ユーザがチャットを希望する場合、運用サーバ２００でコミュニケーション空間（例えば、チャットルーム）を生成する時に生成される。実施形態によって、第２移動端末機４００に表示される対話型メッセージ窓は、チャットルームに招待を受けた人が招待メッセージを受信した後、招待に承認した場合に生成される。
【００６０】
図４は、図１または図３に示された運用サーバを経由して複数の移動端末機の間で行われるグループチャットの方法を説明するフローチャートである。図１から図４を参照すれば、第１移動端末機１００と第２移動端末機４００が同じ空間に存在することが確認されれば、第１移動端末機１００は、運用サーバ２００を通じてチャットルーム（例えば、コミュニケーション空間）への招待を第２移動端末機４００に伝送する（ステップＳ３１０）。
【００６１】
第２移動端末機４００は、前記招待に基づいて運用サーバ２００を通じて、前記チャットルームに参加することができる（ステップＳ３２０）。すなわち、同じ空間に存在する移動端末機は、運用サーバ２００によって提供されるチャットルームに参加してコミュニケーションサービスを利用できる。この際、前記チャットルームに招待される移動端末機の台数は、制限されるものではない。
【００６２】
図５は、図１または図３に示されたシステムの動作方法を説明する対話型メッセージ窓の入力されるデータの一実施形態を示す。説明の便宜上、Ｓ１４０を通じてカフェに対するコミュニティー空間は、既に形成されていると仮定する。
【００６３】
図１から図５を参照すれば、第３テーブルに座っている第１移動端末機１００の第１ユーザは、第１移動端末機１００のディスプレイに表示される対話型メッセージ窓を通じて第１４テーブルに座っている第２移動端末機４００の第２ユーザを運用サーバ２００から提供されるコミュニティー空間に招待することができる。
【００６４】
前記第２ユーザが、前記カフェに座ってコーヒーを飲みながら聴きたい歌があって、テーブルに設けられた第２ＮＦＣタグ４５０を第２移動端末機４００でスキャン（または、タギング）し、第２移動端末機４００のディスプレイに表示される対話型メッセージ窓は、聴きたい歌の題目を入力することができる窓を表示する。前記第２ユーザは、前記窓に前記題目を入力する。前記コミュニティー空間の管理者は、前記第２ユーザの入力に応答して、前記歌を聞かせることができる。
【００６５】
図６は、図１または図３に示されたシステムの動作方法を説明する対話型メッセージ窓の入力されるデータの他の実施形態を示す。説明の便宜上、Ｓ１４０を通じてカフェに対するコミュニティー空間は、既に形成されていると仮定する。
【００６６】
図１から図６を参照すれば、第３テーブルに座っている第１移動端末機１００の第１ユーザは、第１移動端末機１００のディスプレイに表示される対話型メッセージ窓を通じて第１４テーブルに座っている第２移動端末機４００の第２ユーザを運用サーバ２００から提供されるコミュニティー空間に招待することができる。
【００６７】
第２ユーザが、第２移動端末機４００に設けられたアプリケーションによって実行される対話型メッセージ窓を通じて「スタイルです〜」というリクエスト曲を入力すれば、第１移動端末機１００に設けられたアプリケーションによって実行される対話型メッセージ窓には、「スタイルです〜」というメッセージが表示される。
【００６８】
第１ユーザが、第１移動端末機１００に設けられたアプリケーションによって実行される対話型メッセージ窓を通じて「スタイル歌大好きです」というメッセージを入力すれば、第２移動端末機４００に設けられたアプリケーションによって実行される対話型メッセージ窓には、「スタイル歌大好きです」というメッセージが表示される。
【００６９】
図５と図６とに示したように、各移動端末機１００、４００の対話型メッセージ窓には、運用サーバ２００のコミュニティー空間を通じて第１ユーザと第２ユーザとが送受信するメッセージがリアルタイムで表示される。他の実施形態によって、第２移動端末機４００は、第１移動端末機１００が存在する空間と同じ空間を管理する管理者の端末機であり得る。
【００７０】
第１移動端末機１００と第２移動端末機４００との間に形成されたコミュニケーション空間を通じて、第１移動端末機１００からメッセージがアップデートされる時、運用サーバ２００は、第２移動端末機４００に別途のアップデート報知要請を伝送する。したがって、第２移動端末機４００の第２ユーザは、前記アップデート報知要請に応じて、前記アップデートされたメッセージを確認し、前記アップデートされたメッセージに相応するサービスを運用サーバ２００を通じて第１移動端末機１００に提供することができる。
【００７１】
例えば、第１移動端末機１００の第１ユーザは、空間別に形成されたコミュニケーション空間を通じて楽曲のリクエスト、顧客の声（または、不満）、またはサービスなどを要請し、第２移動端末機４００の第２ユーザが、空間を管理する管理者である時、前記第２管理者は、前記要請に応答して、前記第１ユーザが必要なサービスを提供することができる。実施形態によって、各移動端末機１００及び４００には、図１または図３に示されたコミュニケーションサービス提供方法を実行するアプリケーションが設けられることもある。
【００７２】
前記アプリケーションは、運用サーバ２００からダウンロードされて設けられることもある。また、前記アプリケーションは、ウェブストア（web store）またはアプリケーションマーケットからダウンロードされて設けられることもある。
【００７３】
第１移動端末機１００と第２移動端末機４００のそれぞれに設けられたアプリケーションは、第１ＮＦＣタグ１５０と第２ＮＦＣタグ４５０のそれぞれをタギングすることによって自動で実行可能である。この際、各移動端末機１００、４００から実行されるアプリケーションは、運用サーバ２００によって生成されたコミュニケーション空間を通じてメッセージを送受信することができる対話型メッセージ窓を活性化させることができる。
【００７４】
図５と図６とを参照して説明した方法は、図３に示されたシステム１０Ｂによって生成されたコミュニケーション空間にもそのまま適用可能である。例えば、コミュニケーション空間が売場に対応する時、ユーザは、前記コミュニケーション空間を用いて楽曲リクエスト、顧客の声のリクエスト、または顧客参加イベントに参加などができ、前記売場の管理者は、顧客との対話ができる。
【００７５】
コミュニケーション空間が公共場所に対応する時、ユーザは、前記公共場所に設けられた施設物の破損申告または建議事項をメッセージとして伝送しうる。コミュニケーション空間が建物に対応する時、ユーザは、紙くずまたは備品の充填メッセージを伝送しうる。
【００７６】
図７〜図９で説明するコミュニケーションサービス提供方法は、ユーザの移動端末機がビーコンの役割を行うことを基盤として移動端末機間のビーコンメッセージ（ＢＥＭ）の送受信を通じて特定空間内のユーザ間のコミュニケーションを可能にする方法に関するものである。
【００７７】
図７〜図９で説明するコミュニケーションサービスの類型は、移動端末機に伝達される次のようなビーコンメッセージの形態によって区分されうる。
（１）ビーコンメッセージがコミュニケーション空間（ＶＣＲ）のアドレス（ＶＣＲ＿ＵＲＬ）を伝達する場合
（２）ビーコンメッセージがビーコンＩＤ（ＢＩＤ）を伝達する場合
（３）ビーコンメッセージが移動端末機のＩＤ（ＤＩＤ）を伝達する場合
【００７８】
また、図７〜図９で説明するコミュニケーションサービスの類型は、コミュニケーション空間（ＶＣＲ）が生成される位置によって区分されうる。
（１）コミュニケーション空間（ＶＣＲ）が運用サーバ２００から生成される場合
（２）コミュニケーション空間（ＶＣＲ）が移動端末機１００及び／または４００から生成される場合
【００７９】
図７は、本発明のさらに他の実施形態によるシステムのデータフローを示す。図７を参照すれば、システム２０Ａは、第１移動端末機１００、第２移動端末機４００、及び運用サーバ２００を含む。
【００８０】
第１移動端末機１００は、ビーコンの役割を行う移動端末機であって、第１移動端末機１００に設けられたアプリケーションを用いてビーコンメッセージ（ＢＥＭ）を生成し、ビーコンメッセージ（ＢＥＭ）を第２移動端末機４００にブロードキャスティング（broadcasting）することができる。第１移動端末機１００と第２移動端末機４００が特定空間内に位置する場合、第２移動端末機４００が、第１移動端末機１００からブロードキャスティングされたビーコンメッセージ（ＢＥＭ）をキャッチング（catching）することによって、第１移動端末機１００のユーザと第２移動端末機４００のユーザとの間のコミュニケーションが可能である。
【００８１】
本明細書では、説明の便宜上、第２移動端末機４００のみビーコンメッセージ（ＢＥＭ）を受信する場合を説明しているが、実施形態によって、第２移動端末機４００は、複数の移動端末機を意味する。したがって、実施形態によって、複数の移動端末機間のユーザ間のコミュニケーションが可能である。
【００８２】
前記特定空間とは、第２移動端末機４００が第１移動端末機１００からビーコンメッセージ（ＢＥＭ）を受信することができる空間を意味する。すなわち、第１移動端末機１００と第２移動端末機４００とのコミュニケーションは、ビーコンメッセージ（ＢＥＭ）が送受信可能な範囲内で可能である。
【００８３】
実施形態によって、第２移動端末機４００がビーコンの役割を行い、第１移動端末機１００にビーコンメッセージ（ＢＥＭ）をブロードキャスティングすることができる。第１移動端末機１００と第２移動端末機４００が、特定空間内に位置する場合、第１移動端末機１００がビーコンメッセージ（ＢＥＭ）をキャッチングすることによって、第１移動端末機１００のユーザと第２移動端末機４００のユーザとの間のコミュニケーションが可能である。
【００８４】
ビーコンの機能を行う第１移動端末機１００は、第１移動端末機１００に設けられたアプリケーションを実行し（ステップＳ４１０）、前記アプリケーションを用いて運用サーバ２００にコミュニケーション空間（virtual communication room；ＶＣＲ）の生成を要請することができる（ステップＳ４２０）。
【００８５】
第１移動端末機１００に設けられた前記アプリケーションは、運用サーバ２００にコミュニケーション空間（ＶＣＲ）の生成を要請するか否かを第１移動端末機１００のユーザに問い、前記ユーザの承諾がある時、運用サーバ２００にコミュニケーション空間（ＶＣＲ）の生成を要請する（ステップＳ４２０）。
【００８６】
運用サーバ２００は、第１移動端末機１００のコミュニケーション空間（ＶＣＲ）の生成要請に対応して、移動端末機間の通信を可能にするコミュニケーション空間（ＶＣＲ）を生成し（ステップＳ４３０）、コミュニケーション空間（ＶＣＲ）のＵＲＬ（ＶＣＲ＿ＵＲＬ）を第１移動端末機１００に伝送する（ステップＳ４４０）。
【００８７】
前記ＵＲＬは、位置基盤コミュニケーションサービスを提供する管理者、例えば、運用サーバ２００にアクセスするためのＵＲＬであるか、運用サーバ２００によって管理されるウェブサイトにアクセスするためのＵＲＬであり得る。例えば、前記ウェブサイトは、運用サーバ２００を通じて管理される。
【００８８】
第１移動端末機１００は、運用サーバ２００からコミュニケーション空間（ＶＣＲ）のＵＲＬ（ＶＣＲ＿ＵＲＬ）を受信し（ステップＳ４４０）、第１移動端末機１００に設けられたアプリケーションを用いてコミュニケーション空間（ＶＣＲ）のＵＲＬ（ＶＣＲ＿ＵＲＬ）を含むビーコンメッセージ（ＢＥＭ）を生成する（ステップＳ４５０）。
【００８９】
第１移動端末機１００は、運用サーバ２００から受信されたコミュニケーション空間（ＶＣＲ）のＵＲＬ（ＶＣＲ＿ＵＲＬ）を用いてコミュニケーション空間（ＶＣＲ）にアクセスする。
【００９０】
実施形態によって、ビーコンメッセージ（ＢＥＭ）は、デジタルコンテンツをさらに含む。前記デジタルコンテンツは、デジタル化された方法で製作、流通、消費される製品を意味する。例えば、デジタルコンテンツ（Ｄ＿ＣＯＮＴＳ）は、テキストファイル、イメージファイル、動画ファイル、ＭＰ３楽曲ファイル、またはマルチメディア書籍などを意味する。
【００９１】
例えば、第１移動端末機１００のユーザは、第１移動端末機１００に設けられたアプリケーションを用いて、コミュニケーション空間（ＶＣＲ）のＵＲＬ（ＶＣＲ＿ＵＲＬ）と共に第２移動端末機４００のユーザをコミュニケーション空間（ＶＣＲ）に招待する文句で構成されたテキスト、イメージなどを含むビーコンメッセージ（ＢＥＭ）を生成する。
【００９２】
第２移動端末機４００は、第１移動端末機１００からビーコンメッセージ（ＢＥＭ）を受信し（ステップＳ４６０）、ビーコンメッセージ（ＢＥＭ）に含まれたコミュニケーション空間（ＶＣＲ）のＵＲＬ（ＶＣＲ＿ＵＲＬ）を用いてコミュニケーション空間（ＶＣＲ）にアクセスする。
【００９３】
第１移動端末機１００と第２移動端末機４００が、運用サーバ内に生成されたコミュニケーション空間（ＶＣＲ）にいずれもアクセスした場合、運用サーバ２００は、運用サーバ２００を通じて、第１移動端末機１００と第２移動端末機４００とがリアルタイムでメッセージを通信可能なようにコミュニケーション空間（ＶＣＲ）を形成する（ステップＳ４７０）。
【００９４】
前記メッセージは、第１移動端末機１００と第２移動端末機４００のそれぞれに設けられたアプリケーションによって実行される対話型メッセージ窓を通じてリアルタイムで表示される。すなわち、対応する対話型メッセージ窓は、第１移動端末機１００と第２移動端末機４００のそれぞれのディスプレイを通じて表示される。前記対応する対話型メッセージ窓は、コミュニケーション空間（ＶＣＲ）に対応する。
【００９５】
図５と図６とを参照して説明した方法は、図７に示されたシステム２０Ａによって生成されたコミュニケーション空間にもそのまま適用可能である。すなわち、運用サーバ２００は、空間別にコミュニケーション空間（ＶＣＲ）を形成することができるので、特定空間に存在するユーザのそれぞれは、自身の移動端末機を用いて別途の認証手続き（例えば、ＩＤとパスワードとを入力する手続き）を経ずに、運用サーバ２００で提供するコミュニケーション空間（ＶＣＲ）を用いて、他のユーザとメッセージを送受信することができる。
【００９６】
運用サーバ２００は、移動電話網、無線インターネット、Ｗｉ−Ｆｉ、または近距離通信網を通じて、ユーザのそれぞれの移動端末機にコミュニケーション空間（ＶＣＲ）を提供することができる。また、運用サーバ２００に会員として加入されたかの有無に無関係に、特定空間に存在するユーザのそれぞれは、自身の移動端末機を用いて運用サーバ２００で提供するコミュニケーション空間（ＶＣＲ）を用いて、他のユーザとメッセージを送受信することができる。しかし、前記特定空間を外れたユーザは、前記コミュニケーション空間を用いて、他のユーザとメッセージを送受信することができない。
【００９７】
図８は、本発明のさらに他の実施形態によるシステムのデータフローを示す。図８を参照すれば、システム２０Ｂは、第１移動端末機１００、第２移動端末機４００、運用サーバ２００、及びＩＤサーチエンジン（ID search engine）６００を含む。
【００９８】
ビーコンの機能を行う第１移動端末機１００は、第１移動端末機１００に設けられたアプリケーションを実行し（ステップＳ５１０）、前記アプリケーションを用いて運用サーバ２００にコミュニケーション空間（virtual communication room；ＶＣＲ）の生成を要請する（ステップＳ５２０）。第１移動端末機１００に設けられた前記アプリケーションは、運用サーバ２００にコミュニケーション空間（ＶＣＲ）の生成を要請するか否かを第１移動端末機１００のユーザに問い、前記ユーザの承諾がある時、運用サーバ２００にコミュニケーション空間（ＶＣＲ）の生成を要請する（ステップＳ５２０）。
【００９９】
運用サーバ２００は、第１移動端末機１００のコミュニケーション空間（ＶＣＲ）の生成要請に対応して、移動端末機間の通信を可能にするコミュニケーション空間（ＶＣＲ）を生成し（ステップＳ５３０）、コミュニケーション空間（ＶＣＲ）のＵＲＬ（ＶＣＲ＿ＵＲＬ）を第１移動端末機１００に伝送する（ステップＳ５４０）。
【０１００】
前記ＵＲＬは、位置基盤コミュニケーションサービスを提供する管理者、例えば、運用サーバ２００にアクセスするためのＵＲＬであるか、運用サーバ２００によって管理されるウェブサイトにアクセスするためのＵＲＬであり得る。例えば、前記ウェブサイトは、運用サーバ２００を通じて管理される。
【０１０１】
第１移動端末機１００は、運用サーバ２００からコミュニケーション空間（ＶＣＲ）のＵＲＬ（ＶＣＲ＿ＵＲＬ）を受信し（ステップＳ５４０）、第１移動端末機１００に設けられたアプリケーションを用いてビーコンＩＤ（ＢＩＤ）を含むビーコンメッセージ（ＢＥＭ）を生成する（ステップＳ５５０）。
【０１０２】
第１移動端末機１００は、運用サーバ２００から受信されたコミュニケーション空間（ＶＣＲ）のＵＲＬ（ＶＣＲ＿ＵＲＬ）を用いてコミュニケーション空間（ＶＣＲ）にアクセスする。実施形態によって、ビーコンＩＤ（ＢＩＤ）は、移動端末機のＩＤ（ＤＩＤ）と同一であり得る。
【０１０３】
実施形態によって、ビーコンメッセージ（ＢＥＭ）は、デジタルコンテンツをさらに含みうる。前記デジタルコンテンツは、デジタル化された方法で製作、流通、消費される製品を意味する。例えば、デジタルコンテンツ（Ｄ＿ＣＯＮＴＳ）は、テキストファイル、イメージファイル、動画ファイル、ＭＰ３（mpeg-1 audio layer-3）楽曲ファイル、またはマルチメディア書籍などを意味する。
【０１０４】
例えば、第１移動端末機１００のユーザは、第１移動端末機１００に設けられたアプリケーションを用いて、ビーコンＩＤ（ＢＩＤ）と共に第２移動端末機４００のユーザをコミュニケーション空間（ＶＣＲ）に招待する文句で構成されたテキスト、イメージなどを含むビーコンメッセージ（ＢＥＭ）を生成することができる。
【０１０５】
第２移動端末機４００は、第１移動端末機１００からビーコンＩＤ（ＢＩＤ）を含むビーコンメッセージ（ＢＥＭ）を受信することができる（ステップＳ５６０）。第２移動端末機４００は、ＩＤサーチエンジン６００に第１移動端末機１００から伝送されたビーコンＩＤ（ＢＩＤ）を伝送し（ステップＳ５６５）、ビーコンＩＤ（ＢＩＤ）に対する質疑、例えば、探索を要請することができる。
【０１０６】
前記質疑に応答して、ＩＤサーチエンジン６００は、受信されたビーコンＩＤ（ＢＩＤ）に該当するコミュニケーション空間（ＶＣＲ）のＵＲＬ（ＶＣＲ＿ＵＲＬ）を探索し（ステップＳ５７５）、該探索されたコミュニケーション空間（ＶＣＲ）のＵＲＬ（ＶＣＲ＿ＵＲＬ）を第２移動端末機４００に伝送する（ステップＳ５８０）。
【０１０７】
実施形態によって、ＩＤサーチエンジン６００は、リアルタイムで生成または消滅するコミュニケーション空間（ＶＣＲ）のＵＲＬ（ＶＣＲ＿ＵＲＬ）を探索するために運用サーバ２００と通信する。例えば、運用サーバ２００は、第１移動端末機１００のコミュニケーション空間（ＶＣＲ）の生成要請に応じて生成されたコミュニケーション空間（ＶＣＲ）のＵＲＬ（ＶＣＲ＿ＵＲＬ）情報をＩＤサーチエンジン６００に伝送する。第２移動端末機４００は、ＩＤサーチエンジン６００から受信されたコミュニケーション空間（ＶＣＲ）のＵＲＬ（ＶＣＲ＿ＵＲＬ）を用いてコミュニケーション空間（ＶＣＲ）にアクセスすることができる。
【０１０８】
第１移動端末機１００と第２移動端末機４００が、運用サーバ内に生成されたコミュニケーション空間（ＶＣＲ）にいずれもアクセスした場合、運用サーバ２００は、運用サーバ２００を通じて、第１移動端末機１００と第２移動端末機４００とがリアルタイムでメッセージを通信可能なようにコミュニケーション空間（ＶＣＲ）を形成する（ステップＳ５９０）。
【０１０９】
前記メッセージは、第１移動端末機１００と第２移動端末機４００のそれぞれに設けられたアプリケーションによって実行される対話型メッセージ窓を通じてリアルタイムで表示される。すなわち、対応する対話型メッセージ窓は、第１移動端末機１００と第２移動端末機４００のそれぞれのディスプレイを通じて表示される。前記対応する対話型メッセージ窓は、コミュニケーション空間（ＶＣＲ）に対応する。図５と図６とを参照して説明した方法は、図８に示されたシステム２０Ｂによって生成されたコミュニケーション空間にもそのまま適用可能である。
【０１１０】
図９は、本発明のさらに他の実施形態によるシステムのデータフローを示す。図９を参照すれば、システム３０Ａは、第１移動端末機１００、及び第２移動端末機４００を含みうる。図９に示されたシステム３０Ａは、図７及び図８に示されたシステム２０Ａ及び２０Ｂとは異なって、コミュニケーション空間（ＶＣＲ）が、第１移動端末機１００内から生成される。
【０１１１】
第２移動端末機４００が、第１移動端末機１００からビーコンメッセージ（ＢＥＭ）を受信した場合、第１移動端末機１００は、第１移動端末機１００に設けられたアプリケーションを通じてチャットルーム（例えば、コミュニケーション空間（ＶＣＲ））への招待を第２移動端末機４００に伝送する。第２移動端末機４００は、前記招待に基づいて前記チャットルームに参加することができる。すなわち、同じ空間に存在する移動端末機は、第１移動端末機１００に設けられたアプリケーションまたは第１移動端末機１００によって提供されるチャットルームに参加して、コミュニケーションサービスを利用できる。この際、前記チャットルームに招待される移動端末機の台数は、制限されるものではない。
【０１１２】
ビーコンの機能を行う第１移動端末機１００は、第１移動端末機１００に設けられたアプリケーションを実行し（ステップＳ６１０）、前記アプリケーションを用いて第１移動端末機１００内にコミュニケーション空間（virtual communication room；ＶＣＲ）を生成する（ステップＳ６２０）。
【０１１３】
第１移動端末機１００に設けられた前記アプリケーションは、コミュニケーション空間（ＶＣＲ）を生成するか否かを第１移動端末機１００のユーザに問い、前記ユーザの承諾がある時、コミュニケーション空間（virtual communication room；ＶＣＲ）を生成する（ステップＳ６２０）。第１移動端末機１００のユーザは、第１移動端末機１００に生成されたコミュニケーション空間（ＶＣＲ）にアクセスすることができる。
【０１１４】
第１移動端末機１００は、第１移動端末機１００に設けられたアプリケーションを用いてビーコンＩＤ（ＢＩＤ）を含むビーコンメッセージ（ＢＥＭ）を生成することができる（ステップＳ６３０）。実施形態によって、ビーコンＩＤ（ＢＩＤ）は、第１移動端末機１００のＩＤ（ＤＩＤ）と同一であり得る。
【０１１５】
実施形態によって、ビーコンメッセージ（ＢＥＭ）は、デジタルコンテンツをさらに含みうる。前記デジタルコンテンツは、デジタル化された方法で製作、流通、消費される製品を意味する。例えば、デジタルコンテンツ（Ｄ＿ＣＯＮＴＳ）は、テキストファイル、イメージファイル、動画ファイル、ＭＰ３楽曲ファイル、またはマルチメディア書籍などを意味する。
【０１１６】
例えば、第１移動端末機１００のユーザは、第１移動端末機１００に設けられたアプリケーションを用いて、ビーコンＩＤ（ＢＩＤ）と共に第２移動端末機４００のユーザをコミュニケーション空間（ＶＣＲ）に招待する文句で構成されたテキスト、イメージなどを含むビーコンメッセージ（ＢＥＭ）を生成することができる。
【０１１７】
第２移動端末機４００は、第１移動端末機１００からビーコンＩＤ（ＢＩＤ）を含むビーコンメッセージ（ＢＥＭ）を受信し（ステップＳ６４０）、該受信されたビーコンＩＤ（ＢＩＤ）に該当するコミュニケーション空間（ＶＣＲ）を探索することができる（ステップＳ６５０）。
【０１１８】
例えば、前記探索は、第２移動端末機４００がブルートゥース（登録商標）機能を活性化させ、キーワードを用いたペアリングがなされる時、ビーコンＩＤ（ＢＩＤ）をキーワードとして用いる場合を意味する。すなわち、第２移動端末機４００は、第１移動端末機１００から受信されたビーコンＩＤ（ＢＩＤ）を用いて第１移動端末機１００に生成されたコミュニケーション空間（ＶＣＲ）を探索することができる。第２移動端末機４００は、探索されたビーコンＩＤ（ＢＩＤ）に該当するコミュニケーション空間（ＶＣＲ）にアクセスすることができる。
【０１１９】
第１移動端末機１００と第２移動端末機４００が、第１移動端末機１００に生成されたコミュニケーション空間（ＶＣＲ）にいずれもアクセスした場合、第１移動端末機１００は、第１移動端末機１００と第２移動端末機４００とがリアルタイムでメッセージを通信可能にコミュニケーション空間（ＶＣＲ）を形成する（ステップＳ６６０）。
【０１２０】
前記メッセージは、第１移動端末機１００と第２移動端末機４００のそれぞれに設けられたアプリケーションによって実行される対話型メッセージ窓を通じてリアルタイムで表示される。すなわち、対応する対話型メッセージ窓は、第１移動端末機１００と第２移動端末機４００のそれぞれのディスプレイを通じて表示される。前記対応する対話型メッセージ窓は、コミュニケーション空間（ＶＣＲ）に対応する。
【０１２１】
図５と図６とを参照して説明した方法は、図９に示されたシステム３０Ａによって生成されたコミュニケーション空間にもそのまま適用可能である。
【産業上の利用可能性】
【０１２２】
本発明は、運用サーバを用いたコミュニケーションサービス提供方法に用いられうる。また、本発明は、運用サーバに用いられうる。
【図１】
0006410936.tif 000002
【図２】
0006410936.tif 000003
【図３】
0006410936.tif 000004
【図４】
0006410936.tif 000005
【図５】
0006410936.tif 000006
【図６】
0006410936.tif 000007
【図７】
0006410936.tif 000008
【図８】
0006410936.tif 000009
【図９】
0006410936.tif 000010